(57)【特許請求の範囲】
【請求項１】
貫通穴を設けたケースと、このケースの後面側に配置されるスイッチ本体と前記貫通穴から前記ケースの前面側に突出する操作軸とを有するスイッチと、前記スイッチ本体と前記ケースとの間に配置されたシール部材とを備え、前記シール部材は、前記操作軸が挿通される穴部と前記スイッチ本体の上面を露出する切り欠き穴とを有し、前記ケースに前記切り欠き穴に挿入され前記上面箇所に当接するリブを設けたことを特徴とするスイッチ装置。
【請求項２】
前記穴部の周囲に環状突起を設けたことを特徴とする請求項１に記載のスイッチ装置。
【請求項３】
前記切り欠き穴は前記シール部材の周方向に沿って等間隔に複数設けられていることを特徴とする請求項１または請求項２に記載のスイッチ装置。
【請求項４】
前記シール部材に前記スイッチ本体を囲む垂れ下がり部を設けたことを特徴とする請求項１から請求項３の何れかに記載のスイッチ装置。
【請求項５】
前記垂れ下がり部の内径が前記スイッチ本体の外径より径小であることを特徴とする請求項４に記載のスイッチ装置。
【発明の詳細な説明】
【技術分野】
【０００１】
本発明は、例えば車両に搭載され、ケース内に配置されたスイッチをケースの外部から操作するスイッチ装置に係り、特にシール部材を備えたスイッチ装置に関するものである。
【背景技術】
【０００２】
防水性を考慮した状態でスイッチをケースに取り付けたものとして、例えば下記特許文献１に記載のものがある。特許文献１に記載のスイッチは、スイッチケース２１（スイッチ）を容器１３（ケース）の内部から外部に突出させ、固定用ナット３を用いてスイッチケース２１を容器１３に取り付ける際、スイッチケース２１のフランジ部と容器１３との間にゴムワッシャ２（シール部材）を挟み込むことによって、水が容器１３の内部に浸入するのを防ぐというものである。
【特許文献１】特開平８−２８７８０１号公報
【発明の開示】
【発明が解決しようとする課題】
【０００３】
しかしながら、特許文献１記載のスイッチは固定用ナット３の締め付けがいくらでも可能であり、それによりゴムワッシャ２がどこまでも圧縮されてしまう。高い圧縮力を受けた状態であるとゴムワッシャ２が早期に劣化しやすく、防水性が低下してしまう虞がある。
【０００４】
本発明は、この様な点に鑑みなされたもので、シール部材の早期劣化を抑え、防水性に優れたスイッチ装置を提供することを目的とする。
【課題を解決するための手段】
【０００５】
本発明は前記課題を解決するため、貫通穴を設けたケースと、このケースの後面側に配置されるスイッチ本体と前記貫通穴から前記ケースの前面側に突出する操作軸とを有するスイッチと、前記スイッチ本体と前記ケースとの間に配置されたシール部材とを備え、前記シール部材は、前記操作軸が挿通される穴部と前記スイッチ本体の上面を露出する切り欠き穴とを有し、前記ケースに前記切り欠き穴に挿入され前記上面箇所に当接するリブを設けたものである。
【０００６】
また、本発明は前記穴部の周囲に環状突起を設けたものである。
【０００７】
また、本発明は前記切り欠き穴は前記シール部材の周方向に沿って等間隔に複数設けられているものである。
【０００８】
また、本発明は前記シール部材に前記スイッチ本体を囲む垂れ下がり部を設けたものである。
【０００９】
また、本発明は前記垂れ下がり部の内径が前記スイッチ本体の外径より径小であるものである。
【発明の効果】
【００１０】
シール部材の早期劣化を抑え、防水性に優れたスイッチ装置を得ることができる。
【発明を実施するための最良の形態】
【００１１】
以下、添付図面に基づいて、本発明を適用したスイッチ装置の実施形態を説明する。図１はスイッチ装置の断面図であり、図２はスイッチ装置に用いられるシール部材の正面図である。図３はシール部材の断面図（図２のＡ−Ａ断面）であり、図４はシール部材の断面図（図２のＢ−Ｂ断面）である。
【００１２】
スイッチ装置は、貫通穴１を設けたケース２と、このケース２に取り付けられ操作軸３を有する例えば回転式のスイッチ４と、スイッチ４の操作軸３を回動操作する操作ツマミ５と、ケース２内への水の浸入を抑えるシール部材６と、ケース２の前面側（スイッチ操作者側）に配置され操作軸３の回動操作に対応した表示（図示せず）が施されたシート状の表示パネル７などを備えている。
【００１３】
スイッチ４は、スイッチ本体８と、このスイッチ本体８と一体形成され周囲にネジ部（図示せず）が形成してある取付部９と、回動可能に構成された操作軸３とからなり、スイッチ本体８がケース２の後面側に配置され、ケース２の貫通穴１から操作軸３と取付部９がケース２の前面側に突出している。そして、取付部９のネジ部に締結部材としての金属製のナット１０をネジ締めすることによってスイッチ４がケース２に取り付けられるようになっている。１１は、ケース２とナット１０との間に介在された歯付座金である。
【００１４】
取付部９は円柱の両側をそいだ形状、つまり断面が略小判形となっている。操作軸３も円柱状であるが、先端側は断面がＤの字状（Ｄの字部１２）としてある。この操作軸３の先端側に操作ツマミ５が装着されるが、操作ツマミ５を回した際に操作ツマミ５が空転しない様に操作軸３の先端側はＤの字部１２としてあるものである。
【００１５】
操作ツマミ５は、例えば黒色の合成樹脂からなり、操作軸３の先端側が挿入される差し込み孔１３が設けられている。この差し込み孔１３の断面は上述した様に、操作軸３の先端側の断面形状とほぼ一致している。
【００１６】
ケース２は、例えば黒色の合成樹脂からなり、スイッチ４の操作軸３および取付部９が挿通される貫通穴１と、スイッチ本体８の上面１４箇所に当接するリブ１５が２個設けてある。貫通穴１は、スイッチ４の取付部９の断面とほぼ一致した形状としてある。即ち、略小判形（非円形）となっており、これによってケース２に対するスイッチ４の回り止めがなされている。
【００１７】
シール部材６は、柔軟性を有する例えば黒色の合成ゴムからなり、スイッチ本体８とケース２との間に配置される前部１６と、この前部１６に設けられスイッチ４の操作軸３および取付部９が挿通される穴部１７と、この穴部１７の周縁に設けられ断面が略半円形の環状突起１８と、前部１６の周方向に沿って等間隔（穴部の中心を原点とした等角度位置）に設けられている２個の切り欠き穴１９と、スイッチ本体８の周囲を囲みスイッチ本体８の外径より径小の垂れ下がり部２０とを有している。
【００１８】
穴部１７は、スイッチ４の取付部９の断面とほぼ一致した形状としてある。即ち、略小判形となっている。切り欠き穴１９は、前部１６を切り欠くことによって設けられるもので、図２に示す様に溝状となっており、この切り欠き穴１９にケース２に設けられたリブ１５が挿入される。図示しないが、切り欠き穴１９とリブ１５の断面形状はほぼ同じくなっている。なお、切り欠き穴１９は２個に限定するものではなく、前部１６の周方向に沿って等間隔に複数個設けられていれば、３個でも４個でも良い。また、リブ１５の高さはシール部材６の環状突起１８を含めた前部１６の厚さより少し低く（短く）設定してある。
【００１９】
スイッチ４のケース２への取り付けについて説明する。先ずスイッチ本体８の上面１４側にシール部材６を装着する。この際、スイッチ本体８の取付部９とシール部材６の穴部１７とが合うようにする。次に、表示パネル７が前もって貼られたケース２の貫通穴１にシール部材６が装着されたスイッチ４の操作軸３および取付部９をケース２の後面側から挿通させ、ケース２に設けたリブ１５がシール部材６の切り欠き穴１９に挿入された状態で、前述した様に歯付座金１１を介してナット１０をスイッチ本体８の取付部９にネジ締めする。
【００２０】
ナット１０をネジ締めするにつれて、ケース２とスイッチ本体８の上面１４との間でシール部材６の環状突起１８が圧縮され、ケース２のリブ１５がスイッチ本体８の上面１４に当接することによってネジ締めが完了する。その後、操作ツマミ５の差し込み孔１３に操作軸３のＤの字部１２を挿入してスイッチ４の組み付けが完了する。
【００２１】
この様に、シール部材６にスイッチ本体８の上面１４を露出する切り欠き穴１９を設け、ケース２に切り欠き穴１９に挿入されるリブ１５を設け、このリブ１５がシール部材６の環状突起１８が圧縮された状態でスイッチ本体８の上面１４箇所に当接するように構成したことにより、環状突起１８（シール部材６）が圧縮されることで防水性が保たれると共に、ナット１０でネジ締めする際にシール部材６がどこまでも圧縮されるのを防ぐことができる。これによって締め付けすぎによるシール部材６の早期劣化を抑え、防水性に優れたスイッチ装置を得ることができる。
【００２２】
また、シール部材６の穴部１７周囲に環状突起１８を設けることによって、ナット１０をネジ締めする際、圧縮される箇所がシール部材６の前部１６全体ではなく部分的であるため、ケース２のリブ１５がスイッチ本体８の上面１４に当接するまでの圧縮力が少なくて済み、ナット１０締めする際の作業が容易である。
【００２３】
また、シール部材６の切り欠き穴１９はシール部材６の周方向に沿って等間隔に複数設けられていることによって、ナット１０をネジ締めした際にシール部材６の前部１６がほぼ均等に圧縮され、防水性に優れたスイッチ装置を得ることができる。
【００２４】
また、シール部材６にスイッチ本体８を囲む垂れ下がり部２０を設けたことによって、ネジ締め（圧縮）時の前部１６の変形が抑えられ、防水性に優れたスイッチ装置を得ることができる。
【００２５】
また、シール部材６の垂れ下がり部２０の内径がスイッチ本体８の外径より径小であることによって、圧入設定となるため、スイッチ４に対するシール部材６の回り止め効果が得られる。更に、ケース２にスイッチ４を組み付ける際、逆さにしてもシール部材６がスイッチ４から外れることがなく、組み付け作業性の向上に繋がる。
【００２６】
なお、本実施形態に於いてはシール部材６の前部１６に環状突起１８を設けたが環状突起１８は設けなくとも良く、その場合、シール部材６が圧縮された状態でスイッチ本体８の上面１４箇所に当接するように、ケース２のリブ１５の高さはシール部材６の前部１６の厚さより少し低く設定しておけば良い。
【図面の簡単な説明】
【００２７】
【図１】本発明の実施形態を示すスイッチ装置の断面図。
【図２】同スイッチ装置に用いられるシール部材の正面図。
【図３】同シール部材の断面図（図２のＡ−Ａ断面）。
【図４】同シール部材の断面図（図２のＢ−Ｂ断面）。
【符号の説明】
【００２８】
１    貫通穴
２    ケース
３    操作軸
４    スイッチ
６    シール部材
８    スイッチ本体
９    取付部
１４  上面
１５  リブ
１６  前部
１７  穴部
１８  環状突起
１９  切り欠き穴
２０  垂れ下がり部
【図１】
0004671179.tif 000002
【図２】
0004671179.tif 000003
【図３】
0004671179.tif 000004
【図４】
0004671179.tif 000005